(57)【要約】【課題】  フォーク、ナイフ、スプーンが単体で色々な物を挟むことができ、又テーブルにじかに置いても汚れる事の無いフォーク、ナイフ、スプーンを提供する。【解決手段】  フォーク、ナイフ、スプーンの把手部に、挟持部を設けることにより、食器の皿やおわんなどの縁を挟んで取り付けることができる。又カップ麺の容器とフタを挟むこともできることを特徴とし、そして把手部の表又は裏側に凸を設けて点で接する事により、テーブルにじかに置け、先端の口に触れる部分が汚れることのないことを特徴とした、フォーク、ナイフ、スプーンの柄である。【選択図】図１
2009066363.tif 000002
【特許請求の範囲】
【請求項１】
洋食器の把手部分の一側面に挟持部を設けて、色々な物を挟むことのできることを特徴としたフォーク、ナイフ、スプーンの柄。
【請求項２】
洋食器の把手部分の表又は裏面に凸を設けて点で接する事により、テーブルにじかに置けることをことを特徴とするフォーク、ナイフ、スプーンの柄。
【発明の詳細な説明】
【技術分野】
【０００１】  本発明は、洋食器で食事をする時に、これらの把手部に挟持部を設けこの部分で、カップ麺の容器とフタを挟んで取り付けることができる。又食器の皿やおわんなどの縁に挟んで取り付けることもできる。そしてテーブルに洋食器を置いた時に、先端の口に触れる部分が汚れることのない、フォーク、ナイフ、スプーンの柄に関するものである。
【背景技術】
【０００２】  従来は、カップ麺を作る時、お湯を入れフタをする時フタが反って開く事で、フタを押さえる事が難しく、お湯の温度が下がり、麺の仕上がりを指定時間内に仕上げる事ができかった。この為にフタの上面に重しを置いてフタが開かないようにしていた。【０００３】  なお、フォークの把手部分に溝と突起を加工形成し、その溝と突起の間にカップ麺の容器の縁と蓋を挟み込むことによって、給湯後の蓋の跳ね上がりを防止する発明が知られている（特許文献１）。【０００４】  さらに、柄のほぼ中央に縦長の切溝を設けて、割り箸部分で挟み込むことを特徴とするフォークが知られている（特許文献２）。【０００５】  皿やおわんとフォークは別々の物であり、食材の入った容器とフォークを一体にして運ぶことができず、運ぼうとしても食材の中にフォークを入れることになった。
この問題では、洋食器の柄の部分に食器の縁の部分を挟み込み、それを固定させるために取り付けたクリップから成る、柄の部分にクリップが付いたスプーンなどが知られている（特許文献３）。
【特許文献１】  実用新案登録第３０６８６６０号
【特許文献２】  公開実用新案公報昭６２−３３３７３
【特許文献３】  公開特許公報２００４−２６１５５４
【発明の開示】
【発明が解決しようとする課題】
【０００６】  今までは、次のような問題があった。
カップ麺容器のフタを閉じた状態を保持することは困難で、それぞれの特許文献の発明には、それぞれ次のような欠点がある。【０００７】  （特許文献１）実用新案登録第３０６８６６０号は、
カップ麺の種類には、一般的に（コップ形状、鍋形状）があり、挟むところの厚さがコップ形状では厚くなっている。そのため厚さの異なるカップ麺容器を挟むのは困難であった。【０００８】  （特許文献２）公開実用新案公報昭６２−３３３７３は、
このフォークの形状は、フタを挟む所が割り箸状になっている為、テーブルに置いて両手を使って広げなければ挟むことができなかった。【０００９】  （特許文献３）公開特許公報２００４−２６１５５４は、
この形状は、スプーン、フォークなどがずり落ちない為のものであり、食材とスプーン、が触れてしまう欠点があった。外側に取り付けたとしてもバランスの悪い物であった。【００１０】  さらに、上記の特許文献でできなかった事には、洋食器は、テーブルに置くと口に触るところが汚れてしまい、衛生的ではなくテーブルにじかに置く事ができなかった。
本発明は、これらの問題を一つのフォーク、ナイフ、スプーンで解決する為になされた物である。
【課題を解決するための手段】
【００１１】  フォーク、ナイフ、スプーンの把手部に、挟持部を設けることにより、色々な物を挟む事ができることを特徴とするフォーク、ナイフ、スプーンの柄である。【００１２】  洋食器の把手部の表又は裏側に凸を設けて点で接する事により、テーブルにじかに置けることを特徴とするフォーク、ナイフ、スプーン柄である。
【発明の効果】
【００１３】  カップ麺の容器とフタを、同時に挟むことができ、給湯後のフタのそりを防止できる。
皿などの食器類の縁に取り付けることで、食器に盛り付けた食材とフォーク、ナイフ、スプーンを一緒に運ぶことが容易となる。
フォーク本体の先端間の凹溝部を串が通る広さにしたことにより、串を引き抜くことが容易である。さらに具をフォーク部で刺し口に運ぶことができる。
フォーク、ナイフ、スプーンの表又は裏側に小さな凸部を設けることで、フォークなどをテーブルなどに置いたとき、挟持部（３）、凸部（５）、把手部端部（６）、の３点で支持する為、口に運ぶ所がテーブルに触れることなく置くことができる為、衛生的である。
本発明は、一つのフォーク、ナイフ、スプーンで、イ、ロ、ハ、ニ、の機能のいずれか又はすべての機能を持っている物である。
【発明を実施するための最良の形態】
【００１４】  以下、本発明の実施の形態を説明する。
洋食器の把手部（４）の側面部位に挟持部（３）を設けている、洋食器の表又は裏面に、凸部（５）を設けている。
本発明は、以上の構成よりなっているので、本発明を使用するときは、挟持部のかえり部（９）を容器の縁の下部にあてがって上に押し広げる。又厚さのある物は面取り部（１２）を押し付けることで、挟持部が相乗して広がる。そして押さえ部分（１０）を、フタもしくは、縁の上部に当てれば、バネ機能により挟み込む。【００１５】又皿などの食器類の縁に取り付けることで、皿などに盛り付けた食材とフォーク、ナイフ、スプーンを一緒に運ぶことが容易となる。
さらに、このフォーク、ナイフ、スプーンの凸部（５）面をテーブルなどにじかに置けば口に運ぶ部分がテーブルと離れ、この部分を汚すことなく使用することができる物である。又フォークでは、先端に突出部（２０）と溝部（２１）を複数設けた、フォーク部（２）の溝部（２１）で串を通す事とし、溝部の広さは串の直径より幅広にする。このことにより、串を引き抜くことが容易である。さらに具をフォーク部の突出部（２０）で刺し口に運ぶことができる。
本発明のクリップ部分は、フォーク、ナイフ、スプーンに金属のクリップを取り付けた２分割タイプ（図３）があり、これは本体に設けた長穴（７）に挟持部（３）をはめ込んだ物である。なお樹脂で挟持部（３）を含めた一体成型タイプもある。
【図面の簡単な説明】
【００１６】
【図１】本発明のフォーク正面斜視図
【図２】本発明のフォーク裏面斜視図
【図３】本発明の挟持部を示す斜視図
【図４】本発明の分離斜視図
【図５】本発明をテーブルに置いた状態を示す斜視図
【図６】カップ麺容器に本発明を取り付けた使用状態を示す斜視図
【図７】図６の断面図
【図８】皿に本発明を取り付けた使用状態を示す斜視図
【図９】挟持部を取り付けたスプーン
【図１０】挟持部を取り付けたナイフ
【図１１】串物を引き抜く使用状態を示す斜視図
【符号の説明】
【００１７】  １、洋食器              ２、フォーク              ３、挟持部
４、把手部              ５、凸部                  ６、把手部端部
７、長穴                ８、はめ込部              ９、かえり部
１０、押さえ部          １１、開口部              １２、面取り部
１３、テーブル面        １４、カップ麺容器        １５、フタ
１６、皿                １７、スプーン            １８、ナイフ
１９、串物              ２０、突出部              ２１、溝部
【図１】
2009066363.tif 000003
【図２】
2009066363.tif 000004
【図３】
2009066363.tif 000005
【図４】
2009066363.tif 000006
【図５】
2009066363.tif 000007
【図６】
2009066363.tif 000008
【図７】
2009066363.tif 000009
【図８】
2009066363.tif 000010
【図９】
2009066363.tif 000011
【図１０】
2009066363.tif 000012
【図１１】
2009066363.tif 000013